【事件の表示】
　特願２０１２−４１５５９号「音響エネルギーを使用した、小流体体積中の小粒子の集中および分散」拒絶査定不服審判事件〔平成２４年７月１２日出願公開、特開２０１２−１３０９２０号〕について、次のとおり審決する。
【結　論】
　本件審判の請求は、成り立たない。
【理　由】
Ｉ．手続の経緯  
　この出願は、２００７年５月２日（パリ条約による優先権主張２００６年５月２日、（ＡＵ）オーストラリア）に出願した特願２００９−５０８０４５号の一部を平成２４年２月２８日に新たな特許出願としたものであって、平成２４年３月１日に国際出願日における国際特許出願の明細書、請求の範囲、図面（図面の中の説明に限る。）の翻訳文及び図面（図面の中の説明を除く。）が提出され、同年３月２日に手続補正書及び上申書が提出され、平成２５年１月２５日付けの拒絶理由の通知に対して、同年６月５日に意見書が提出され、平成２６年２月２６日付けで拒絶査定がなされ、これに対して同年７月４日に審判請求がなされるとともに手続補正書が提出され、同年１０月２０日に上申書が提出され、その後、平成２７年６月１２日付けの当審による拒絶理由に対して、同年１０月１５日に意見書及び手続補正書が提出されたものである。
　
ＩＩ．本願発明    
　本願請求項１に係る発明（以下、「本願発明」という。）は、平成２７年１０月１５日付けの手続補正書により補正された特許請求の範囲の請求項１に記載された事項により特定される、以下のとおりのものである。  
「【請求項１】
　圧電基材と、前記圧電基材中に表面音響波を発生するための前記圧電基材上に堆積させた櫛状電極の少なくとも一個と、作動表面とを含み、該作動表面を通して前記表面音響波が分配されることができ且つ該作動表面上に流体滴が配置されることができる、微小流体システムを使用して流体滴中に浮遊する粒子を操作する方法であって、
　該方法が、一個以上の流体滴を前記作動表面上に配置し、前記発生した表面音響波の前記滴の幅を横切る分配に応じて前記流体滴中に方位再循環が誘発された結果として、前記流体滴内に浮遊する粒子が、前記滴内で分散されるか、または前記滴内のある区域に集中されるように、前記発生した表面音響波の前記滴の幅を横切る分配を変動させることを含む、方法。」
　
ＩＩＩ．当審による拒絶理由の概要 
　平成２７年６月１２日付けの当審による拒絶理由は、「本件出願の請求項１に係る発明は、その出願前日本国内または外国において頒布された特表２００４−５３４６３３号公報に記載された発明であるから、特許法第２９条第１項第３号に該当し、特許を受けることができない。」旨を理由の一つにするものである。 
　
ＩＶ．特表２００４−５３４６３３号公報（以下、「引用例」という。）に記載の事項  
（ａ）「【請求項１】
少なくとも１つの微量液体を混合する方法であって、
少なくとも１つの液体(53)をある固体表面、特にチップの相互作用部分(3、23、43、63、83、93、103、204)に加え、
少なくとも１つの表面音波を少なくとも１つの液体(53、73)と相互作用させ、それを混合することを特徴とする微量液体の混合方法。」
　
(b)「【請求項１８】
請求項１の方法を使用する混合装置であって、
固体表面上に少なくとも１つの表面音波発生装置(5、25、45、65、66、67、68、85、95、105、206)と相互作用部分(3、23、43、63、83、93、103、204)を有し、
その相互作用部分は、少なくとも１つの表面音波発生装置に配置され、表面音波発生装置稼動の際、発生した表面音波により変形されることを特徴とする混合装置。」
　
(c)「【請求項２３】
請求項１８の混合装置において、
相互作用部分が固体表面上に好んで滞留する部分(43、63、83、93、103)を含み、
上記滞留部分の湿化特性は周辺とは違って、液体が好んで滞留することを特徴とする混合装置。」
　
(d)「【請求項２６】
請求項１８〜２５のいずれか１つの混合装置において、
相互作用部分(63)と少なくとも１つの表面音波発生装置(65、66、67、68)は、少なくとも１つの表面音波発生装置(65、66、67、68)で作られる
表面音波が相互作用部分(63)に分散的に作用する
　
(e)「【請求項３４】
請求項１８〜３３のいずれか１つの混合装置において、
表面音波発生装置(5、25、45、65、66、67、68、85、95、105、206)が１つのインターデジタルトランスデューサーを含むことを特徴とする混合装置。」
　
(f)「【請求項４３】
請求項１８〜４２のいずれか１つの混合装置において、
細胞付着分析として用いられることを特徴とする混合装置。」
　
(g)「【技術分野】
【０００１】
本発明は、少なくとも１つの微量液体を混合するための混合方法、混合装置、装置の使用及び表面付着力の分析方法に関するものである。」
　
(h)「【００２４】
表面音波は圧電基質上
で発生させる。
【００２５】
混合プロセスを速めるため、表面音波は連続的に照射してもいい。しかし、表面音波は間欠的に照射するのが効果的である。
【００２６】
さらに、表面音波のインパルス周波数を、それが凹み又は好みの滞留個所にある微量液体の自己周波数に等しくなるよう選べば、共振が増幅され、混合が強くなる。それに適したインパルス周波数は、液体量又はその容量と表面張力とによって決まり、標準的には数ヘルツから数キロヘルツである。
【００２７】
表面音波は例えば、液体がそれによって均等に超音波処理されるよう照射することができる。液体の下側では通過する表面音波によって固体表面が変形し、機械的変形となる。この機械的変形、又はそれに伴う電界は液体と固体表面の境界域の液体に作用する。そのとき、通過する表面音波は液体の下の部分を引きずる。それにもかかわらず、表面張力のため、表面音波の強さがそれほどでない場合は、液体は好みの滞留個所又は凹みを離れることはないであろう。液体内での容量調整を行うため、固体表面から離れているいる液体の上部では逆流が形成される。このようにして液体内の動きが生れ、混合が生じる。
【００２８】
他のヴァリエーションでは表面音波は分散的に液体に送られ、そのとき液体は部分的にのみ当てられ、例えば回転を始める。
【００２９】
表面音波が、好みの滞留個所又は凹みにあるが、それとは対称的でない位置にある表面音波発生装置によって発生すれば、同じような効果が得られる。
【００３０】
他のヴァリエーションでは、液体の部分で位相がずれている少なくとも２つの表面音波が液体に送られる。例えば、半波長だけ相のずれている２つの並行した表面音波を液体に送ることができる。そうすれば、表面音波の「波の山」によって液体に伝達されるインパルスは同じく相がずれ、液体で渦の形成となり、極めて効果的な混合ができる。
【００３１】
相のずれは、２つの並行して配置された表面音波発生装置が、相がずれた周波数で操作されることによって得られる。同じく表面音波発生装置は、波長の整数倍でない相互作用部分と異なる距離を有することができる。
【００３２】
当発明の他のヴァリエーションでは、液体は、例えば距離を置いた表面音波発生装置によって発生する表面音波の共振器のある表面部分に送られる。そのような共振器は例えば主として金属性の周期的に腐食された構造物、又は周期的に塗布された被膜で作ることができる。この部分に来る表面音波は共振器によって局所的に増幅され、液体内の混合を促進する。
【００３３】
乱れを効果的に生成するため、当発明の実施のとき液体が存在する好みの滞留個所又は凹みに、乱れの形成をうながす妨害物を入れることができる。
【００３４】
他のヴァリエーションでは、表面音波を発生させるため従来のインターデジタルトランスデューサーが使われる。そのようなインターデジタルトランスデューサーは例えば、数μm間隔で指のように互いに食い込んでいる２つの電極をもっている。
インターデジタルトランスデューサーの製作はよく使われる石版技術と被膜技術でコスト安で、簡単である。
　
(i)「【００３８】
当発明の方法を実施するための当発明の混合装置は固体表面に少なくとも１つの相互作用部分を含み、少なくとも１つの表面音波発生装置を有する。
こ
　
(j)「【００６２】
物体の付着力検査のための当発明による分析方法は請求項44の対象である。微量液体混合のための、上に述べた当発明の混合方法は極小の物体をもつ溶液で使われる。この溶液と表面音波との相互作用中あるいは相互作用後、表面音波によって作られる流れ如何により表面に付着する物質の量あるいは数が検査され、数えられる。
例えば、乱流を作るため当発明の混合方法が使われる。
【００６３】
溶液の点滴がその表面張力によって付着している表面に置かれると、極小の物体は表面に沈下する。そこで点滴は固有のあるいは非固有の付着力あるいは分子間引力によって付着する。溶液の点滴は当発明の混合方法による表面音波によって動かされる。流れの速さないし表面音波の強さにしたがって表面にある極小物体は引きずられ、除去される。
表面音波の使用の利点は振幅ないし流れ速さを広く調節することができる点である。特にインターデジタルトランスデューサーを表面音波の生成に使うときはそうである。
【００６４】
この方法は培養液を液体として使い、生物質、特に細胞とかバクテリアを検査するときには特に便利である。
【００６５】
機能化は例えば、細胞単層、あるいは付着分子をもつ被膜を含むことができる。細胞被膜は例えば内皮細胞から成り立っていることもある。付着分子は例えば内皮細胞で絶縁されることもある。又はフィブロネクチン(Fibronektin)のような細胞外質のマトリックス蛋白でもありうる。
【００６６】
表面上のいくつかの部分にいくつかの機能化を行えば、１つの表面上で並行していくつかの付着を検査できる。さらにいくつかの局所的な流れの見本を例えばいくつかのトランスデューサーによってチップ上に作って、異なって機能化された部分を選択的に操作できる。
【００６７】
それゆえ、
混合装置の特に有利な利用として、場合により機能化された表面での細胞の付着検査に使われる細胞付着分析がある。細胞は培養液で沈下し、基質表面に非固有的に付着するので、固有結合を非固有結合から区別できることが必要である。当発明の混合装置では、細胞を表面音波で集め、個々の細胞が流れ速度の機能としてもぎとれるかを検査する。
【００６８】
例えば10〜100μm直径の細胞は、例えば表面での非固有付着の場合、表面音波によって誘導された流れに十分な抵抗をなし、表面と物質との付着は流れによって破られることがある。」
　
(k)「【００８２】
当発明の方法は、凹み3を好みの滞留個所に代えて、図１の装置でも行える。好みの滞留個所の湿化特質は図３により、微量液体が好んで滞留するように選ぶ。」
　
(l)「【００８３】
図４
インターデジタルトランスデューサー65で生成された表面音波の音響通路70が分散的に好みの滞留個所63に当るように固体表面に置かれる。
【００８４】
好みの滞留個所63には図示されていない液体がある。インターデジタルトランスデューサー65で表面音波が生成されると、それは音響通路70の方向に拡大し、液体に当る。表面音波の強さが十分に小さければ、液体は表面音波のインパルスにより好みの滞留個所から遠ざけられない。
しかし、インパルス伝達により液体の内部に動きが生れ、流れのプロフィール72の乱れとなる。したがって、効果的な混合が得られる。
　・・・
【００８９】
図５ｂ
乱流を発生させるため同じく２つのインターデジタルトランスデューサー65,66を使う。
インターデジタルトランスデューサー65又は66で発生した表面音波は、簡略化のため図に記されていない液体の存在する好みの滞留個所63に分散的に当る。
その相関係は滞留個所63の場所でインターデジタルトランスデューサー65又は66で発生した表面音波が同じ相であれば、図５ｂの滞留個所63にある液体に77と79で記した渦が生じる。
  　
(m)「【０１０４】
これまで述べた実施形態はすべて複数の混合装置が固体表面に配置された大きなシステムの一部とすることができる。チップ表面には他の分析ないし合成装置を置くこともできる。」
　
(n)「【図４】
　
　　　　　　　　　　　　　　　　　　　　　　　　　　」
　　　　　　　　　　　　　　　　　　　　　　　　　　　　　　　
(o)「【図５ｂ】
　
　　　　　　　　　　　　　　　　　　　　　　　　　　」
　
Ｖ．当審の判断
（Ｖ−１）引用例に記載された発明
(Ａ)上記(a)ないし(h)、特に(b)の「固体表面上に少なくとも１つの表面音波発生装置・・・と相互作用部分・・・を有し」（【請求項１８】）、同(h)の「表面音波は圧電基質上・・・で発生させる。」（【００２４】）及び同「表面音波は分散的に液体に送られ」（【００２８】）からして、引用例には、「圧電基質（固体）と、『表面音波を発生させるインターデジタルトランスデューサーを含む、圧電基質上の少なくとも１つの表面音波発生装置』と、『湿化特性は周辺とは違って液体が好んで滞留する滞留部分を含む、発生した表面音波により変形される、圧電基質上の相互作用部分』とを有し、表面音波が相互作用部分に送られ、少なくとも１つの微量液体が圧電基質上の相互作用部分に加えられる、少なくとも１つの表面音波を少なくとも１つの微量液体と相互作用させる混合装置を細胞付着分析として用いる装置の使用。」が記載されているということができる。
                  
(Ｂ)上記(h)の「他のヴァリエーションでは、表面音波を発生させるため従来のインターデジタルトランスデューサーが使われる。そのようなインターデジタルトランスデューサーは例えば、数μm間隔で指のように互いに食い込んでいる２つの電極をもっている。例えば、周波数が表面音波速度と電極指先間の距離の商に等しいという共振条件が少なくともほぼ満たされると、例えば数MHzから数100MHzの大きさの高周波交番磁界を通し、圧電基質又は基質の圧電域で表面音波を励起する。拡散方向は互いに絡まっている指先電極構造物に直角である。もちろん表面音波フィルターのテクノロジーで使われているような、他の大きさのインターデジタルトランスデューサーを用いてもいい。インターデジタルトランスデューサーを使って、極めて限定された表面音波を簡単に作ることができる。インターデジタルトランスデューサーの製作はよく使われる石版技術と被膜技術でコスト安で、簡単である。」（【００３４】）からして、引用例には、「インターデジタルトランスデューサーは、石版技術と被膜技術で製作されて指のように互いに食い込んでいる２つの電極をもち、表面音波を発生させる指先電極構造物である」ことが記載されているということができる。
　
(Ｃ) 上記(g)の「液体の概念は特に、純粋液体、混合液体、分散液、懸濁液、あるいは固体分子、例えば生物質等が存在する液である。」（【０００２】）、同(j)の「物体の付着力検査のための当発明による分析方法は請求項44の対象である。微量液体混合のための、上に述べた当発明の混合方法は極小の物体をもつ溶液で使われる。この溶液と表面音波との相互作用中あるいは相互作用後、表面音波によって作られる流れ如何により表面に付着する物質の量あるいは数が検査され、数えられる。例えば、乱流を作るため当発明の混合方法が使われる。」（【００６２】）、同「溶液の点滴がその表面張力によって付着している表面に置かれると、極小の物体は表面に沈下する。そこで点滴は固有のあるいは非固有の付着力あるいは分子間引力によって付着する。溶液の点滴は当発明の混合方法による表面音波によって動かされる。流れの速さないし表面音波の強さにしたがって表面にある極小物体は引きずられ、除去される。・・・表面音波の使用の利点は振幅ないし流れ速さを広く調節することができる点である。特にインターデジタルトランスデューサーを表面音波の生成に使うときはそうである。」（【００６３】）、同「この方法は培養液を液体として使い、生物質、特に細胞とかバクテリアを検査するときには特に便利である。」（【００６４】）及び同「それゆえ、混合装置の特に有利な利用として、場合により機能化された表面での細胞の付着検査に使われる細胞付着分析がある。細胞は培養液で沈下し、基質表面に非固有的に付着するので、固有結合を非固有結合から区別できることが必要である。当発明の混合装置では、細胞を表面音波で集め、個々の細胞が流れ速度の機能としてもぎとれるかを検査する。」【００６７】）からして、引用例には、「細胞付着分析として、表面に置かれた微量液体（培養液）に乱流を作り、微量液体内の細胞を表面から引きずって除去して集める」ことが記載されているということができる。
　
　上記(a)ないし(o)の記載事項及び上記(Ａ)ないし(Ｃ)の検討事項より、引用例には、
「圧電基質（固体）と、『石版技術と被膜技術で製作されて指のように互いに食い込んでいる２つの電極をもち、表面音波を発生させる指先電極構造物のインターデジタルトランスデューサーを含む、圧電基質上の少なくとも１つの表面音波発生装置』と、『湿化特性は周辺とは違って液体が好んで滞留する滞留部分を含む、発生した表面音波により変形される、圧電基質上の相互作用部分』とを有し、表面音波が相互作用部分に送られ、少なくとも１つの微量液体（培養液）が圧電基質上の相互作用部分に加えられる、少なくとも１つの表面音波を少なくとも１つの微量液体と相互作用させる混合装置を細胞付着分析として用いる装置の使用であって、相互作用部分の表面に置かれた微量液体に乱流を作り、微量液体内の細胞を相互作用部分の表面から引きずって除去して集める、装置の使用。」（以下、「引用例記載の発明」という。）
           　
（Ｖ−２）対比・判断
　引用例記載の発明と本願発明を対比する。
○引用例記載の発明の「圧電基質（固体）」、「表面音波」、「『石版技術と被膜技術で製作されて指のように互いに食い込んでいる２つの電極をもち、表面音波を発生させる指先電極構造物のインターデジタルトランスデューサーを含む、圧電基質上の少なくとも１つの表面音波発生装置』」、「『湿化特性は周辺とは違って液体が好んで滞留する滞留部分を含み、発生した表面音波により変形される、圧電基質上の相互作用部分』」、「有し」、「微量液体（培養液）」、「細胞」及び「混合装置」は、本願発明の「圧電基材」、「表面音響波」、「圧電基材中に表面音響波を発生するための圧電基材上に堆積させた櫛状電極の少なくとも一個」、「作動表面」、「含み」、「流体滴」、「粒子」及び「微小流体システム」のそれぞれに相当する。
　
○引用例記載の発明の「送られ」は、本願発明の「分配され」に相当する。
　
○引用例記載の発明の「装置の使用」は、「装置の使用方法」であるということができることから、本願発明の「方法」に相当する。
　
○引用例記載の発明の「表面音波が相互作用部分に送られ、少なくとも１つの微量液体（培養液）が圧電基質上の相互作用部分に加えられる、少なくとも１つの表面音波を少なくとも１つの微量液体と相互作用させる混合装置を細胞付着分析として用いる装置の使用であって、相互作用部分の表面に置かれた微量液体に乱流を作り、微量液体内の細胞を相互作用部分の表面から引きずって除去して集める、装置の使用」と、本願発明の「作動表面を通して表面音響波が分配されることができ且つ該作動表面上に流体滴が配置されることができる、微小流体システムを使用して流体滴中に浮遊する粒子を操作する方法であって、
　該方法が、一個以上の流体滴を作動表面上に配置し、発生した表面音響波の滴の幅を横切る分配に応じて流体滴中に方位再循環が誘発された結果として、流体滴内に浮遊する粒子が、流体滴内で分散されるか、または流体滴内のある区域に集中されるように、発生した表面音響波の流体滴の幅を横切る分配を変動させることを含む、方法」とは、「作動表面を通して表面音響波が分配されることができ且つ該作動表面上に流体滴が配置されることができる、微小流体システムを使用して流体滴中の粒子を操作する方法」という点で一致する。
　
　上記より、本願発明と引用例記載の発明とは、
「圧電基材と、圧電基材中に表面音響波を発生するための圧電基材上に堆積させた櫛状電極の少なくとも一個と、作動表面とを含み、該作動表面を通して表面音響波が分配されることができ且つ該作動表面上に流体滴が配置されることができる、微小流体システムを使用して流体滴中の粒子を操作する方法。」という点で一致し、以下の点で相違している。　
＜相違点＞
　本願発明では、「作動表面を通して表面音響波が分配されることができ且つ該作動表面上に流体滴が配置されることができる、微小流体システムを使用して流体滴中に浮遊する粒子を操作する方法であって、
　該方法が、一個以上の流体滴を作動表面上に配置し、発生した表面音響波の流体滴の幅を横切る分配に応じて流体滴中に方位再循環が誘発された結果として、流体滴内に浮遊する粒子が、流体滴内で分散されるか、または流体滴内のある区域に集中されるように、発生した表面音響波の流体滴の幅を横切る分配を変動させることを含む、方法」であり、引用例記載の発明では、「表面音波が相互作用部分に送られ、少なくとも１つの微量液体（培養液）が圧電基質上の相互作用部分に加えられる、少なくとも１つの表面音波を少なくとも１つの微量液体と相互作用させる混合装置を細胞付着分析として用いる装置の使用であって、相互作用部分の表面に置かれた微量液体に乱流を作り、微量液体内の細胞を相互作用部分の表面から引きずって除去して集める、装置の使用」である点。
　
＜相違点＞について検討する。
　引用例記載の発明の「乱流」は、当然、滞留部分（相互作用部分）の表面におおよそ平行な軸の周囲の回転流と、滞留部分（相互作用部分）の表面におおよそ垂直の方向に延びる軸の周囲の回転流（審判請求書及び平成２７年１０月１５日に提出された意見書において請求人が「方位再循環」と定義するものに相当する。）の２つを有するものであり、また、引用例には、下記※で示したように、「微量液体の幅を横切る表面音波の送り（分配）を分散的にする（微量液体に対して表面音波を部分的に当てる）、すなわち、上記
分配を非対称にする
分配を非対称にする
　一方、本願発明の上記「作動表面を通して表面音響波が分配されることができ且つ該作動表面上に流体滴が配置されることができる、微小流体システムを使用して流体滴中に浮遊する粒子を操作する方法であって、
　該方法が、一個以上の流体滴を作動表面上に配置し、発生した表面音響波の流体滴の幅を横切る分配に応じて流体滴中に方位再循環が誘発された結果として、流体滴内に浮遊する粒子が、流体滴内で分散されるか、または流体滴内のある区域に集中されるように、発生した表面音響波の流体滴の幅を横切る分配を変動させることを含む、方法」は、本願明細書の「本出願人は、滴を上に載せた基材に対してSAW放射線を使用し、滴中に方位(azimuthal)バルク液体再循環音響流を誘発することにより、静止(sessile)滴中で粒子が2〜20ｓで急速に集中することを立証した。
方位再循環を誘発する手段は、SAW放射線の、滴の幅を横切る、好ましくはSAW伝播方向に対して横方向の非対称性である。
分配を非対称にする
　ここで、改めて、「相違点に係る本願発明の構成」と「相違点に係る引用例記載の発明の構成」とを対比したとき、両者は、「作動表面を通して表面音響波が分配されることができ且つ該作動表面上に流体滴が配置されることができる、微小流体システムを使用して流体滴中に浮遊する粒子を操作する方法であって、該方法が、一個以上の流体滴を作動表面上に配置し、発生した表面音響波の流体滴の幅を横切る分配に応じて流体滴中に方位再循環が誘発された結果として、流体滴内に浮遊する粒子が、流体滴内のある区域に集中されるように、発生した表面音響波の流体滴の幅を横切る
分配を非対称にする
　したがって、本願発明は、引用例記載の発明と相違するところはなく、引用例に記載された発明である。
　
※　引用例には、上記(h)の「他のヴァリエーションでは表面音波は分散的に液体に送られ、そのとき液体は部分的にのみ当てられ、例えば回転を始める。」（【００２８】）、同（l）の「図４には好みの滞留個所63をもつ当発明の実施形態が示される。好みの滞留個所は例えば湿化特質の変化によりすでに述べたように生成される。・・・インターデジタルトランスデューサー65で生成された表面音波の音響通路70が分散的に好みの滞留個所63に当るように固体表面に置かれる。」（【００８３】）、同「好みの滞留個所63には図示されていない液体がある。インターデジタルトランスデューサー65で表面音波が生成されると、それは音響通路70の方向に拡大し、液体に当る。・・・しかし、インパルス伝達により液体の内部に動きが生れ、流れのプロフィール72の乱れとなる。したがって、効果的な混合が得られる。」（【００８４】）、同「図５ｂは１つの変種を示すもので、乱流を発生させるため同じく２つのインターデジタルトランスデューサー65,66を使う。音響通路70又は74をもつ、インターデジタルトランスデューサー65又は66で発生した表面音波は、簡略化のため図に記されていない液体の存在する好みの滞留個所63に分散的に当る。インターデジタルトランスデューサー65又は66は各々交番磁界で励起され、その相関係は滞留個所63の場所でインターデジタルトランスデューサー65又は66で発生した表面音波が同じ相であれば、図５ｂの滞留個所63にある液体に77と79で記した渦が生じる。ここでも液体の混合は好みの滞留個所63で得られる。」（【００８９】）、同(n)の「インターデジタルトランスデューサー65と滞留部分（相互作用部分）の表面におおよそ垂直の方向に延びる軸の周囲の回転流」（【図４】）及び同(o)の「インターデジタルトランスデューサー65、66と滞留部分（相互作用部分）の表面におおよそ垂直の方向に延びる軸の周囲の２つの回転流」（【図５ｂ】）からして、「微量液体の幅を横切る表面音波の送り（分配）を分散的にする（微量液体に対して表面音波を部分的に当てる）、すなわち、上記
分配を非対称にする
　
　なお、滞留部分（相互作用部分）の表面におおよそ垂直の方向に延びる軸の周囲の回転流は、サイクロン作用を有し、これにより細胞（粒子）を集めることができるものであると推測される。
　　
ＶＩ．むすび 
　上記のとおり、本願発明は、引用例に記載された発明であるから、特許法第２９条第１項第３号に該当し、特許を受けることができないので、本願は、他の請求項について検討するまでもなく、拒絶をすべきものである。
　よって、結論のとおり審決する。